(57)【特許請求の範囲】
【請求項１】
外気吸込室（19c）と内気吸込室（19d）と室内給気室（19a）と室外排気室（19b）とが内部に区画され、該各室（19a,19b,19c,19d）の下側に該各室（19a,19b,19c,19d）と連通可能な調湿室（66）が形成されるケーシング（11）と、上記室内給気室（19a）に設置され室内へ空気を搬送する給気ファン（85）と、上記室外排気室（19b）に設置され室外へ空気を搬送する排気ファン（88）と、上記調湿室（66）に設置され空気を除湿又は加湿する吸着熱交換器（33）とを備えた調湿装置であって、
前後に並ぶ上記外気吸込室（19c）及び上記内気吸込室（19d）と、前後に並ぶ上記室内給気室（19a）及び上記室外排気室（19b）とを互いに仕切るようにケーシング（11）の前後に延びる主仕切部（56）と、上記室内給気室（19a）及び上記室外排気室（19b）のうちの前側の室（19a）の内部を、外部に露出可能にケーシング（11）の前面に着脱自在に取り付けられる前面パネル（14）と、
上記室内給気室（19a）と上記室外排気室（19b）とを前後に仕切るように上記ケーシング（11）に着脱自在に取り付けられる給排気仕切部（80）と、
上記ケーシング（11）の後面パネル（15）の内面に沿って形成される後側壁部（57）と
を備え、
上記主仕切部（56）は、上記後側壁部（57）と一体に形成され、該主仕切部（56）だけを独立して取り外せないように構成され、
上記給排気仕切部（80）は、上記給気ファン（85）及び排気ファン（88）の運転時に上記室内給気室（19a）と上記室外排気室（19b）とを前後に仕切る位置に配置され、各ファン（85,88）のメンテナンス時にケーシング（11）の外部前方へ引出可能に構成され
ていることを特徴とする調湿装置。
【請求項２】
請求項１において、
上記ケーシング（11）の内部では、
上記外気吸込室（19c）が上記内気吸込室（19d）の後方に配置され、
上記室外排気室（19b）が上記室内給気室（19a）の後方に配置されていることを特徴とする調湿装置。
【請求項３】
請求項１又は２において、
上記ケーシング（11）の内部には、上記外気吸込室（19c）、上記内気吸込室（19d）、上記室内給気室（19a）、及び上記室外排気室（19b）の各室（19a,19b,19c,19d）と、上記調湿室（66）とを断続する複数のダンパ（D1〜D8）を有するダンパ仕切板（45,48）が設けられ、
上記ダンパ仕切板（45,48）は、上記主仕切部（56）に沿った方向に延びて該主仕切部（56）の下側に形成され、上記前面パネル（14）の背面側に前後に出し入れ自在に取り付けられることを特徴とする調湿装置。
【発明の詳細な説明】
【技術分野】
【０００１】
本発明は、吸着熱交換器によって空気を調湿する調湿装置に関するものである。
【背景技術】
【０００２】
従来より、室内の空気を除湿したり加湿したりする調湿装置が知られている。この種の調湿装置として、吸着剤が担持された吸着熱交換器を備えたものがある。
【０００３】
例えば特許文献１に開示された調湿装置は、クローゼットの内部等に配置される床置き式に構成されている。この調湿装置は、略直方体の箱状のケーシングを有し、ケーシングの内部に空気の流路が形成される。
【０００４】
具体的に、同文献の図１や図２等に示すように、この調湿装置のケーシングの上端部には、室内や室外に繋がる４本のダクトが接続される。ケーシングの上部内側には、前面側から視て、前側左寄りに内気吸込室が、前側右寄りに室内給気室が、後側右寄りに室外排気室が、後側左寄りに外気吸込室がそれぞれ区画される。室外排気室には、排気ファンが設置され、室内給気室には、給気ファンが設置される。また、ケーシングの内部には、ケーシング上部の各室と連通可能な２つの調湿室が形成される。各調湿室には、吸着剤が担持された吸着熱交換器がそれぞれ設置される。
【０００５】
この調湿装置の除湿運転では、室外空気がダクトを通じて外気吸込室に吸い込まれ、この空気が一方の吸着熱交換器を通過する。この吸着熱交換器では、室外空気中の水蒸気が吸着剤に担持され、この空気が除湿される。除湿された空気は、室内給気室、ダクトを順に通過し、室内空間へ供給される。また、この除湿運転では、室内空気がダクトを通じて内気吸込室に吸い込まれ、この空気が他方の吸着熱交換器を通過する。この吸着熱交換器では、吸着剤に吸着された水蒸気が室内空気中に放出され、この吸着剤が再生される。吸着熱交換器の吸着剤の再生に利用された空気は、室外排気室、ダクトを順に通過し、室外空間へ排出される。
【０００６】
また、同文献に開示の調湿装置では、ケーシングの前側の前面パネルが、ケーシング本体に対して着脱自在に構成される。例えば上述した排気ファン及び給気ファンのメンテナンスを行う際には、まず、前面パネルをケーシング本体から取り外す。次に、ケーシングの上部では、上述した４つの部屋を仕切るための縦仕切板及び横仕切板を前側に引き出す。この状態で、更に各ファンを前側に引き出すことで、これらのファンのメンテナンスを行うことができる（例えば特許文献１の段落第０１１０を参照）。
【先行技術文献】
【特許文献】
【０００７】
【特許文献１】特開２００９−９２２９９号公報
【発明の概要】
【発明が解決しようとする課題】
【０００８】
特許文献１に開示の調湿装置では、各ファンのメンテナンスを行う際、縦仕切板と横仕切板との双方を引き出していたので、メンテナンスの作業工数や作業時間が増大してしまう。また、双方の仕切板をそれぞれ引き出す構造とすると、４つの部屋を隙間なく仕切るためにこれらの仕切板の周囲に十分なシールを施す必要があり、装置構造の複雑化を招いてしまう。
【０００９】
特に、同文献に開示の調湿装置の構造では、排気ファンが設置される室外排気室の内圧が、その前方の外気吸込室の内圧よりも小さくなる。このため、外気吸込室に取り込まれた室外空気が、横仕切板の周囲の隙間を通じて、室外排気室へバイパスしてしまう虞がある。同様に、給気ファンが設置される室内給気室の内圧は、その前方の内気吸込室の内圧よりも小さくなる。このため、内気吸込室に取り込まれた室内空気も、横仕切板の周囲の隙間を通じて、室内給気室へバイパスしてしまう虞がある。その結果、この調湿装置では、各仕切板の周囲のシール性を向上させるためにシール構造が更に複雑になってしまうという問題が生じる。
【００１０】
加えて、同文献に開示の調湿装置では、上述した４つの部屋の内圧差（即ち、外気吸込室と室外排気室の内圧差、及び内気吸込室と室内給気室の内圧差）により、横仕切板が後方に向かって引き寄せられる。その結果、横仕切板の周囲のシール材が劣化し易くなり、シール材の交換頻度が高くなるという問題も生じる。
【００１１】
本発明は、かかる点に鑑みてなされたものであり、その目的は、給気ファンや排気ファンを容易にメンテナンスでき、且つ仕切板のシール構造の簡素化を図ることができる調湿装置を提供することである。
【課題を解決するための手段】
【００１２】
第１の発明は、外気吸込室（19c）と内気吸込室（19d）と室内給気室（19a）と室外排気室（19b）とが内部に区画され、該各室（19a,19b,19c,19d）の下側に該各室（19a,19b,19c,19d）と連通可能な調湿室（66）が形成されるケーシング（11）と、上記室内給気室（19a）に設置され室内へ空気を搬送する給気ファン（85）と、上記室外排気室（19b）に設置され室外へ空気を搬送する排気ファン（88）と、上記調湿室（66）に設置され空気を除湿又は加湿する吸着熱交換器（33）とを備えた調湿装置を対象とする。そして、この調湿装置は、前後に並ぶ上記外気吸込室（19c）及び上記内気吸込室（19d）と、前後に並ぶ上記室内給気室（19a）及び上記室外排気室（19b）とを互いに仕切るようにケーシング（11）の前後に延びる主仕切部（56）と、上記室内給気室（19a）及び上記室外排気室（19b）のうちの前側の室（19a）の内部を、外部に露出可能にケーシング（11）の前面に着脱自在に取り付けられる前面パネル（14）と、上記室内給気室（19a）と上記室外排気室（19b）とを前後に仕切るように上記ケーシング（11）に着脱自在に取り付けられる給排気仕切部（80）と、上記ケーシング（11）の後面パネル（15）の内面に沿って形成される後側壁部（57）とを備え、上記主仕切部（56）は、上記後側壁部（57）と一体に形成され、該主仕切部（56）だけを独立して取り外せないように構成され、上記給排気仕切部（80）は、上記給気ファン（85）及び排気ファン（88）の運転時に上記室内給気室（19a）と上記室外排気室（19b）とを前後に仕切る位置に配置され、各ファン（85,88）のメンテナンス時にケーシング（11）の外部前方へ引出可能に構成されている。
【００１３】
第１の発明の調湿装置では、給気ファン（85）及び排気ファン（88）が運転されることで、室内空気が内気吸込室（19d）へ吸い込まれ、室外空気が外気吸込室（19c）へ吸い込まれる。これらの空気は、調湿室（66）の吸着熱交換器（33）で除湿又は加湿された後、室内給気室（19a）や室外排気室（19b）へ送られる。室内給気室（19a）の空気は、給気ファン（85）によって室内へ搬送される。室外排気室（19b）の空気は、排気ファン（88）によって室外へ排出される。
【００１４】
第１の発明では、前後に並ぶ内気吸込室（19d）及び外気吸込室（19c）と、前後に並ぶ室内給気室（19a）及び室外排気室（19b）とが、主仕切部（56）によって仕切られる。室内給気室（19a）と室外排気室（19b）とは、給排気仕切部（80）によって仕切られる。この給排気仕切部（80）は、ケーシング（11）に着脱自在に構成される。
【００１５】
各ファン（85,88）のメンテナンス時には、ケーシング（11）に対して前面パネル（14）を取り外す。すると、室内給気室（19a）及び室外排気室（19b）のうちの一方の室が、外部に露出可能となる。その結果、給気ファン（85）と排気ファン（88）のうちの一方をケーシング（11）の外部へ取り出すことができる。次いで、給排気仕切部（80）を取り出すと、室内給気室（19a）及び室外排気室（19b）のうちの他方が露出される。その結果、給気ファン（85）と排気ファン（88）のうちの他方をケーシング（11）の外部へ取り出すことができる。
【００１６】
本発明では、いずれもファン（85,88）が設置される、室内給気室（19a）と室外排気室（19b）とが給排気仕切部（80）で仕切られ、この給排気仕切部（80）が着脱自在となる。室内給気室（19a）と室外排気室（19b）との間の差圧は、内気吸込室（19d）と室内給気室（19a）との間の差圧や、外気吸込室（19c）と室外排気室（19b）との間の差圧と比較すると小さい。このため、給排気仕切部（80）の周囲のシール構造の簡素化を図ることができる。
【００１７】
第２の発明は、第１の発明において、上記ケーシング（11）の内部では、上記外気吸込室（19c）が上記内気吸込室（19d）の後方に配置され、上記室外排気室（19b）が上記室内給気室（19a）の後方に配置されていることを特徴とする。
【００１８】
第２の発明では、外気吸込室（19c）及び室外排気室（19b）が、それぞれケーシング（11）の後方寄りに配置され、内気吸込室（19d）及び室内給気室（19a）が、それぞれケーシング（11）の前方寄りに配置される。つまり、本発明では、室外に連通する二つの室（19b,19c）がそれぞれ後方に集約され、室内に連通する二つの室（19a,19d）がそれぞれ前方寄りに集約される。
【００１９】
第３の発明は、第１又は第２の発明において、上記ケーシング（11）の内部には、上記外気吸込室（19c）、上記内気吸込室（19d）、上記室内給気室（19a）、及び上記室外排気室（19b）の各室（19a,19b,19c,19d）と、上記調湿室（66）とを断続する複数のダンパ（D1〜D8）を有するダンパ仕切板（45,48）が設けられ、上記ダンパ仕切板（45,48）は、上記主仕切部（56）に沿った方向に延びて該主仕切部（56）の下側に形成され、上記前面パネル（14）の背面側に前後に出し入れ自在に取り付けられることを特徴とする。
【００２０】
第３の発明では、ダンパ仕切板（45,48）の各ダンパ（D1〜D8）が開閉されることで、各室（19a,19b,19c,19d）と調湿室（66）とが断続される。本発明では、前面パネル（14）を取り外すと、ダンパ仕切板（45,48）を前方に取り出すことができる。このダンパ仕切板（45,48）は、主仕切部（56）に沿った方向に延びて形成されてこの主仕切部（56）の下側に配置される。このため、ダンパ仕切板（45,48）と主仕切部（56）とが、前後方向において干渉することもない。
【発明の効果】
【００２１】
第１の発明によれば、前面パネル（14）を取り外した後、給排気仕切部（80）を取り出すことで、給気ファン（85）と排気ファン（88）との双方をメンテナンスできる。即ち、従来例の調湿装置では、給気ファン（85）と排気ファン（88）とを取り出すために、２つの仕切部を取り外していたが、本発明では、給排気仕切部（80）と取り出すだけで済む。従って、本発明では、各ファン（85,88）に係るメンテナンスの工数や時間を削減できる。
【００２２】
また、本発明では、取り外し可能な給排気仕切部（80）を挟んだ空間（即ち、室内給気室（19a）と室外排気室（19b））との差圧が、内気吸込室（19d）と室内給気室（19a）との差圧や外気吸込室（19c）と室外排気室（19b）との差圧と比べて小さい。このため、給排気仕切部（80）の周囲の隙間での空気の漏れも小さくなるので、給排気仕切部（80）の周囲のシール構造を省略あるいは簡素化できる。また、室内給気室（19a）と室外排気室（19b）との差圧が小さいと、給排気仕切部（80）の周囲のシール部が、片側へ引き寄せられることもほとんどない。よって、シール部の劣化も抑制でき、シール構造の簡素化、あるいはシール部のメンテナンスの頻度の低減を図ることができる。
【００２３】
第２の発明によれば、ケーシング（11）の後方寄りに、外気吸込室（19c）と室外排気室（19b）とを集約させている。このため、室外に連通する室外側のダクトを外気吸込室（19c）や室外排気室（19b）に容易に接続でき、ダクトの配設に要するスペースを縮小できる。
【００２４】
第３の発明によれば、主仕切部（56）とダンパ仕切板（85,88）とが干渉することなく、ダンパ仕切板（45,48）を容易にケーシング（11）の外部へ取り出してメンテナンスを行うことができる。
【図面の簡単な説明】
【００２５】
【図１】図１は、実施形態に係る調湿装置のケーシング構造を表した斜視図である。
【図２】図２は、実施形態に係る調湿装置のフレーム構造を表した斜視図である。
【図３】図３は、実施形態に係る調湿装置を模式的に表した構成図であり、図３(Ａ)は、調湿装置を上面から、図３(Ｂ)は、調湿装置の内部構造を前面から、図３(Ｃ)は、調湿装置の内部構造を左側面から、図３(Ｄ)は、調湿装置の内部構造を右側面から、それぞれ視たものである。
【図４】図４は、実施形態に係る調湿装置の模式的に表した構成図であり、図４(Ａ)は、調湿装置の内部構造を図３(Ａ)のＹ−Ｙ断面から視たものであり、図４(Ｂ)は、調湿装置の内部構造を図３(Ｂ)のＺ−Ｚ断面から視たものである。
【図５】図５は、実施形態に係る調湿装置の内部構造を示した組立斜視図であり、特に、下部空間の内部構造を表したものである。
【図６】図６は、実施形態に係る調湿装置の内部構造を示した組立斜視図であり、特に、レヒート熱交換器の周辺構造を表したものである。
【図７】図７は、実施形態に係る調湿装置の内部構造を示した組立斜視図であり、特に、下側ダンパの周辺構造を表したものである。
【図８】図８は、実施形態に係る調湿装置の内部構造を示した組立斜視図であり、特に、上側ダンパの周辺構造を表したものである。
【図９】図９は、実施形態に係る吸着熱交換器の斜視図に、その周囲の調湿室を仮想線を用いて付加したものである。
【図１０】図１０は、実施形態に係る調湿装置の内部構造を示した斜視図であり、特に上部空間の内部構造を表したものである。
【図１１】図１１は、実施形態に係る調湿装置の冷媒回路の概略構成図である。
【図１２】図１２は、実施形態に係る調湿装置の除湿運転時の第１動作、又は加湿運転時の第１動作の空気流れを示した、図３相当図である。
【図１３】図１３は、実施形態に係る調湿装置の除湿運転時の第１動作、又は加湿運転時の第１動作の空気流れを示した、図４相当図である。
【図１４】図１４は、実施形態に係る調湿装置の除湿運転時の第２動作、又は加湿運転時の第２動作の空気流れを示した、図３相当図である。
【図１５】図１５は、実施形態に係る調湿装置の除湿運転時の第２動作、又は加湿運転時の第２動作の空気流れを示した、図４相当図である。
【図１６】図１６は、調湿装置の上部空間の内部構造を示した斜視図であり、給気ファンを取り出す工程（又は入れ込む工程）を説明するためのものである。
【図１７】図１７は、調湿装置の上部空間の内部構造を示した斜視図であり、給排気仕切部（第３上部区画部材（80）)を取り出す工程（又は入れ込む工程）を説明するためのものである。
【図１８】図１８は、調湿装置の上部空間の内部構造を示した斜視図であり、排気ファンを取り出す工程（又は入れ込む工程）を説明するためのものである。
【図１９】図１９は、調湿装置の下側ダンパの周辺構造を示した斜視図であり、下側ダンパを引き出す工程を説明するためのものである。
【図２０】図２０は、調湿装置の上側ダンパの周辺構造を示した斜視図であり、上側ダンパを引き出す工程を説明するためのものである。
【発明を実施するための形態】
【００２６】
本発明の実施形態について説明する。なお、以下に示す実施形態は、本質的に好ましい例示であって、本発明、その適用物、あるいはその用途の範囲を制限することを意図するものではない。
【００２７】
本発明の実施形態に係る調湿装置（10）は、室内の床面に設置されて室内の湿度調節を行う床置き型の調湿装置である。調湿装置（10）は、例えば衣服等が収納されるクローゼットの収納空間等に設置される。
【００２８】
調湿装置（10）の構成について図面を参照しながら説明する。なお、以下の説明における「上」「下」「右」「左」「前」「後」の各方向を表す記載は、原則として、図１に示す調湿装置（10）を前面側から視た場合を基準とする。また、図３及び図４は、調湿装置（10）を模式的に表したものであり、図３(Ａ)は調湿装置（10）の上面を、図３(Ｂ)は調湿装置（10）の前側の内部構造を、図３(Ｃ)は調湿装置（10）の左側の内部構造を、図３(Ｄ)は調湿装置の右側の内部構造をそれぞれ表している。また、図４(Ａ）は、図３(Ａ)の調湿装置の内部構造をＹ−Ｙ断面から視たものであり、図４(Ｂ)は、図４(Ａ)の調湿装置の内部構造をＺ−Ｚ断面から視たものである。
【００２９】
〈ケーシング構造〉
図１に示すように、調湿装置（10）は、縦長の直方体形の箱形のケーシング（11）を備えている。ケーシング（11）は、矩形板状の底板（12）及び天板（13）と、底板（12）及び天板（13）のそれぞれの四辺に対応する４枚の矩形板状のパネル（14,15,16,17）とを備えている。これらのパネル（14,15,16,17）は、前面側の前面パネル（14）と、後面側の後面パネル（15）と、右側の右側面パネル（16）と、左側の左側面パネル（17）とで構成される。ケーシング（11）では、底板（12）、天板（13）、後面パネル（15）、右側面パネル（16）、及び左側面パネル（17）が、前側に開放面を形成したケーシング本体（11a）を構成する。前面パネル（14）は、ビス等の締結部材を介してケーシング本体（11a）に対して着脱自在に構成される。また、ケーシング（11）は、後面パネル（15）が室内の壁の付近に設置される。
【００３０】
前面パネル（14）は、ケーシング（11）の下部空間（S1）を覆う下部パネル（14a）と、ケーシング（11）の上部空間（S3）を覆う上部パネル（14b）と、ケーシング（11）の中間空間（S2）を覆う中間パネル（14c）とによって構成される。更に、下部パネル（14a）の左下側の隅部には、フィルタメンテナンスパネル（14d）が設けられる。前面パネル（14）では、これらのパネル（14a,14b,14c,14d）が、それぞれ個別に取り外し可能に構成される。
【００３１】
天板（13）には、４つのダクト接続口（18）が取り付けられている。具体的に、天板（13）では、前側右寄りに給気接続口（18a）が設けられ、後側右寄りに排気接続口（18b）が設けられ、後側左寄りに外気接続口（18c）が設けられ、前側左寄りに内気接続口（18d）が設けられる。給気接続口（18a）及び内気接続口（18d）は、それぞれダクトを介して室内空間と連通し、排気接続口（18b）及び外気接続口（18c）は、それぞれダクトを介して室外空間と連通する。つまり、調湿装置（10）では、室内空間と繋がる給気接続口（18a）及び内気接続口（18d）が、ケーシング（11）の前側に集約して配置され、室外空間と繋がる排気接続口（18b）及び外気接続口（18c）が、ケーシング（11）の後側に集約して配置される。外気接続口（18c）には室外空気（OA）が吸い込まれ、内気接続口（18d）には、室内空気（RA）が吸い込まれる。給気接続口（18a）からは、室内へ供給空気（SA）が吹き出され、排気接続口（18b）からは、室外へ排出空気（EA）が吹き出される。
【００３２】
〈フレーム構造〉
図２に示すように、ケーシング（11）の内部には、底板（12）の四隅に対応する４本の縦フレーム（支柱部材）（21）が設けられる。これらの縦フレーム（21）は、前側右寄りの第１縦フレーム（21a）と、後側右寄りの第２縦フレーム（21b）と、後側左寄りの第３縦フレーム（21c）と、前側左寄りの第４縦フレーム（21d）とで構成される。各縦フレーム（21）は、ケーシング（11）の高さ方向の中間部よりもやや上側寄りまで垂直に延びている。つまり、ケーシング（11）の内部では、天板（13）から各縦フレーム（21）の上端までの間に底板（12）と直に連結する縦フレームが設けられてない。
【００３３】
各縦フレーム（21）の上部には、水平方向に延びる４本の横フレーム（22）（梁部材）が架橋される。これらの横フレーム（22）は、第１縦フレーム（21a）と第２縦フレーム（21b）との間の第１横フレーム（22a）と、第２縦フレーム（21b）と第３縦フレーム（21c）との間の第２横フレーム（22b）と、第３縦フレーム（21c）と第４縦フレーム（21d）との間の第３横フレーム（22c）と、第４縦フレーム（21d）と第１縦フレーム（21a）との間の第４横フレーム（22d）とで構成される。第２、第３、第４横フレーム（22b,22c,22d）は、対応する各縦フレーム（21）の上端部に連結される。これに対し、第１横フレーム（22a）は、第１及び第２縦フレーム（21a,21b）の上端よりもやや低い部位に連結される。
【００３４】
横フレーム（22）の下側には、水平に延びる３本の中間フレーム（23）が設けられる。これらの中間フレーム（23）は、第１横フレーム（22a）の下側に形成される第１中間フレーム（23a）と、第２横フレーム（22b）の下側に形成される第２中間フレーム（23b）と、第３横フレーム（22c）の下側に形成される第３中間フレーム（23c）とで構成される。
【００３５】
縦フレーム（21）、横フレーム（22）、及び中間フレーム（23）は、調湿装置（10）の構成部品のうち比較的重量が大きな重量物（詳細は後述するダンパ仕切板（45,48）や吸着熱交換器（33））の荷重が作用して、これらを支持する支持部材を構成している。
【００３６】
〈ケーシングの内部空間〉
図２に示すように、ケーシング（11）の内部は、下部パネル（14a）の背面側に形成される下部空間（S1）と、中間パネル（14c）の背面側に形成される中間空間（S2）と、上部パネル（14b）の背面側に形成される上部空間（S3）とに大別できる。
【００３７】
〈下部空間の構成部品〉
図５及び図６に示すように、下部空間（S1）には、左側面パネル（17）に沿うように下部区画部材（41）が設置される。下部区画部材（41）は、ポリスチレン等の樹脂材料で構成され、上側及び下側が開放された枠状に形成される。下部区画部材（41）は、下部空間（S1）を左右に仕切る下部仕切部（41a）と、第３縦フレーム（21c）に近接して配置される横断面が略矩形状の小径筒部（41b）と、第４縦フレーム（21d）に近接して配置される横断面が略矩形状の大径筒部（41c）とを有している。小径筒部（41b）の内部には、外気流入路（61）が区画される。大径筒部（41c）の内部には、レヒート室（63）が区画される。外気流入路（61）とレヒート室（63）とは、連通口（62）を介して互いに連通する（図６を参照）。
【００３８】
レヒート室（63）には、下部区画部材（41）と一体に形成された上側支持板（41d）が設けられる。上側支持板（41d）は、大径筒部（41c）の左側の内壁に連続し、底板（12）と平行となるように水平な状態で支持される。レヒート室（63）では、上側支持板（41d）の下側に連通口（62）に連続する下部外気流路（63a）が形成され、上側支持板（41d）の上側に下部外気流路（63a）に連続する上部外気流路（63b）が形成される（図３(Ｂ)及び図６を参照）。つまり、レヒート室（63）では、下部外気流路（63a）の流入側から上部外気流路（63b）の流出側に亘って、縦断面が略コの字状（Ｕの字状）の空気流路が形成される。
【００３９】
図６等に示すように、下部外気流路（63a）には、上流側から下流側に向かって順に、虫取りフィルタ（26）、プリーツフィルタ（27）、及びレヒートユニット（28）が設けられる。
【００４０】
虫取りフィルタ（26）は、室外空気中の虫や比較的大きな埃等を捕捉する網状の部材である。プリーツフィルタ（27）は、虫取りフィルタ（26）よりも細かい目を有する空気清浄用のフィルタであり、室外空気中の比較的小さな塵埃を捕捉する。下部区画部材（41）には、上述したフィルタメンテナンスパネル（14d）の背面側にメンテナンス蓋（41e）が設けられる（図５を参照）。メンテナンス蓋（41e）は、虫取りフィルタ（26）及びプリーツフィルタ（27）のメンテナンス口を開閉自在に構成される。即ち、フィルタメンテナンスパネル（14d）を取り外し、次いでメンテナンス蓋（41e）を開放すると、虫取りフィルタ（26）やプリーツフィルタ（27）の前端部がケーシング本体（11a）の外部へ露出される。  
【００４１】
レヒートユニット（28）は、枠体（29）と、該枠体（29）の内部に固定されるレヒート熱交換器（35）とを有している。枠体（29）は、一対のサイドステー（29a）と、内壁が斜め下方を向くように一対のサイドステー（29a）に狭持される枠体本体（29b）とを有している。枠体本体（29b）には、斜めに傾斜した開口面（29c）が形成され、この開口面（29c）に沿ってレヒート熱交換器（35）が保持される。レヒート熱交換器（35）は、冷媒によって室外空気を加熱する加熱熱交換器を構成する。
【００４２】
図５に示すように、下部空間（S1）では、その右側の略半分（下部区画部材（41）の外側）に機械室（60）が区画される。機械室（60）では、前面パネル（14）の背面側に電装品箱（90）が設置される。電装品箱（90）には、圧縮機（31）のモータの電源供給回路のプリント基板や、このプリント基板上の回路に電気的に接続するリアクトル等の電装品が収容される。また、機械室（60）には、電装品箱（90）の背面側に圧縮機（31）や四方切換弁（32）が設置される。つまり、前面パネル（14）の下部パネル（14a）を取り外すと、電装品箱（90）がケーシング本体（11a）の外部に露出される。更に電装品箱（90）を外部へ取り出すと、圧縮機（31）や四方切換弁（32）がケーシング本体（11a）の外部へ露出される。
【００４３】
〈中間空間〉
中間空間（S2）には、下側から上側に向かって順に、第１中間区画部材（43）、第２中間区画部材（44）、第３中間区画部材（47）が設けられる。これらの中間区画部材（43,44,47）は、いずれも一体に成型されたポリスチレン等の樹脂部材である。
【００４４】
図７に示すように、第１中間区画部材（43）は、機械室（60）の上側開放部を閉塞している。第１中間区画部材（43）の上面には、矩形状に突設された枠部（43a）と、該枠部（43a）の左右外方に形成される一対の凹溝（43c,43c）とが形成される。枠部（43a）は、第１中間区画部材（43）の前後に亘って形成される。枠部（43a）の内側には、調湿室（66a,66b）で発生した凝縮水を受けるための受水部（43b）が形成される。受水部（43b）は、第１中間区画部材（43）の前後に亘って形成される。受水部（43b）の底面は、水平面よりもやや斜め上方を向くように傾斜している。つまり、受水部（43b）に溜まった水は、傾斜した底面に沿って前方へと導かれる。凹溝（43c,43c）は、枠部（43a）の左右の側壁に沿って前後方向に延びている。
【００４５】
図８に示すように、第２中間区画部材（44）は、第１中間フレーム（23a）と第２中間フレーム（23b）とに支持されながら、第１中間区画部材（43）の上側に所定の間隔を置いて配置される。第２中間区画部材（44）には、第１中間区画部材（43）の各凹溝（43c,43c）に対応する位置に、前後方向に延びる凹溝（44a,44a）が形成される。
【００４６】
一方、図７に示すように、第１中間区画部材（43）と第２中間区画部材（44）との間には、２枚の下側ダンパ仕切板（45）と、１枚の横仕切板（46）とが形成される。２枚の下側ダンパ仕切板（45）及び１枚の横仕切板（46）は、各々の板厚方向が水平となるような、縦置きの配置となっている。２枚の下側ダンパ仕切板（45）は、外気ダンパ仕切板（45a）と排気ダンパ仕切板（45b）とで構成される。
【００４７】
外気ダンパ仕切板（45a）は、その下端部が第１中間区画部材（43）の左側の凹溝（43c）に嵌り込み、その上端部が第２中間区画部材（44）の左側の凹溝（44a）に嵌り込んでいる。排気ダンパ仕切部材（45b）は、その下端部が第１中間区画部材（43）の右側の凹溝（43c）に嵌り込み、その上端部が第２中間区画部材（44）の左側の凹溝（44a）に嵌り込んでいる。下側ダンパ仕切板（45）の前端部は、前面パネル（14）の背面側に位置している。つまり、前面パネル（14）を取り外すと、下側ダンパ仕切板（45）の前端部がケーシング本体（11a）の外部へ露出される。前面パネル（14）を取り外した状態では、下側ダンパ仕切板（45）が、各凹溝（43c,44a）に沿って前後に引き出し可能となる。
【００４８】
図３、図７、図８に示すように、外気ダンパ仕切板（45a）の左側には、レヒート室（63）と連通する中間外気流路（64）が前後に延びて形成される。外気ダンパ仕切板（45a）には、前寄りに第１ダンパ（D1）が、後寄りに第２ダンパ（D2）が設けられる。排気ダンパ仕切板（45b）の右側には、中間排気流路（65）が前後に延びて形成される。排気ダンパ仕切板（45b）には、前寄りに第３ダンパ（D3）が、後寄りに第４ダンパ（D4）が設けられる。
【００４９】
図７や図９に示すように、外気ダンパ仕切板（45a）と排気ダンパ仕切板（45b）の間の空間は、横仕切板（46）によって前後に２つの調湿室（66）に仕切られている。これらの調湿室（66）は、前寄りの空間が第１調湿室（66a）を、後寄りの空間が第２調湿室（66b）を構成する。第１調湿室（66a）は、第１ダンパ（D1）及び第３ダンパ（D3）に対応する位置に形成され、第２調湿室（66b）は、第２ダンパ（D2）及び第４ダンパ（D4）に対応する位置に形成される。第１調湿室（66a）及び第２調湿室（66b）は、第２中間区画部材（44）の内部に亘って形成される。
【００５０】
図９に示すように、２つの吸着熱交換器（33）は、第１調湿室（66a）に収容される第１吸着熱交換器（33a）と、第２調湿室（66b）に収容される第２吸着熱交換器（33b）とで構成される。吸着熱交換器（33）は、クロスフィン型のフィンアンドチューブ式の熱交換器本体（34）の表面に吸着剤が担持されて構成される。
【００５１】
吸着熱交換器（33）の熱交換器本体（34）は、銅製の伝熱管（34a）と、アルミニウム製の多数のフィン（34b）とを有している。伝熱管（34a）は、直管部とＵ字部とが交互に連続して蛇行状に形成される。フィン（34b）は、縦長の板状に形成され、その厚さ方向に伝熱管（34a）の直管部が貫通している。つまり、多数のフィン（34b）は、伝熱管（34a）の直管部の軸方向に沿って平行に配列される。
【００５２】
吸着剤は、多数のフィン（34b）及び伝熱管（34a）の表面に担持されている。吸着剤は、多数のフィン（34b）及び伝熱管（34a）の表面に担持されている。吸着剤と空気との界面では、空気中の水分が吸着剤へ吸着されるか、又は吸着された水分が空気中へ脱離する（吸着剤が再生される）。吸着剤としては、ゼオライト、シリカゲル、活性炭、親水性の官能基を有する有機高分子材料等が用いられる。また、吸着剤としては、水分を吸着するだけで機能だけなく、水分を吸収する機能を有する材料（いわゆる収着剤）を用いてもよい。
【００５３】
吸着熱交換器（33）は、フィン（34b）の短辺側が垂直となり、且つ伝熱管（34a）のＵ字部が左右両側に位置するように、収容室（67）に保持される。
【００５４】
図８に示すように、第３中間区画部材（47）は、第２中間区画部材（44）の上側に積層されている。第３中間区画部材（47）の上面には、左右に幅広の一対の幅広溝（47a,47a）が形成される。これらの幅広溝（47a）には、一対の上側ダンパ仕切板（48）が厚さ方向に嵌合している。これらの上側ダンパ仕切板（48）は、各々の板厚方向が垂直となるような、横置きの配置となっている。上側ダンパ仕切板（48）の前端部は、前面パネル（14）の背面側に位置している。つまり、前面パネル（14）を取り外すと、上側ダンパ仕切板（48）の前端部がケーシング本体（11a）の外部へ露出される。前面パネル（14）を取り外した状態では、上側ダンパ仕切板（48）が、各幅広溝（47a）に沿って前後に引き出し可能となる。
【００５５】
一対の上側ダンパ仕切板（48）は、左寄りの内気ダンパ仕切板（48a）と、右寄りの給気ダンパ仕切板（48b）とで構成される。内気ダンパ仕切板（48a）には、前寄りに第５ダンパ（D5）が、後方寄りに第６ダンパ（D6）が設けられる。給気ダンパ仕切板（48b）には、前寄りに第７ダンパ（D7）が設けられ、後寄りに第８ダンパ（D8）が設けられる。第５ダンパ（D5）及び第７ダンパ（D7）は、第１調湿室（66a）に対応する位置に形成され、第６ダンパ（D6）及び第８ダンパ（D8）は、第２調湿室（66b）に対応する位置に形成される。
【００５６】
第２中間区画部材（44）及び第３中間区画部材（47）の右後側の隅部には、前後に延びる横長の貫通穴がそれぞれ形成され、これらの貫通穴が連続して排気連絡流路（68）を構成する。
【００５７】
中間空間（S2）の左後側の隅部には、第１上部区画部材（51）の外気ダクト部（53）が上下に延びている（図８及び図１０を参照）。外気ダクト部（53）の下端は、下部区画部材（41）の大径筒部（41c）に連続する。また、中間空間（S2）には、第１調湿室（66a）の前側にスペーサ部材（24）が設けられる。スペーサ部材（24）は、第１中間区画部材（43）と第１中間フレーム（23a）との間に所定の間隔を確保するように、両者の間に介設される。
【００５８】
〈上部空間〉
図１０に示すように、上部空間（S3）には、第１上部区画部材（51）、第２上部区画部材（54）、及び第３上部区画部材（80）が設けられる。これらの区画部材（51,54,80）は、いずれも一体に成型されたポリスチレン製の樹脂材料である。上部空間（S3）では、これらの区画部材（51,54,80）によって、４つの上部室（19）が区画される。これらの上部室（19）は、前側右寄りの室内給気室（19a）と、後側右寄りの室外排気室（19b）と、後側左寄りの外気吸込室（19c）と、前側左寄りの内気吸込室（19d）とで構成される。室内給気室（19a）は給気接続口（18a）と連通し、室外排気室（19b）は排気接続口（18b）と連通し、外気吸込室（19c）は外気接続口（18c）と連通し、内気吸込室（19d）は内気接続口（18d）と連通する。室内給気室（19a）には、給気ファンユニット（84）が設けられ、室外排気室（19b）には、排気ファンユニット（87）が設けられる。
【００５９】
第１上部区画部材（51）は、上部空間（S3）の左寄りに設けられる。第１上部区画部材（51）は、左側面パネル（17）に沿ってケーシング（11）の前後両端に亘って形成される左側壁部（52）と、第３縦フレーム（21c）に沿って上下に延びる筒状の外気ダクト部（53）とを有している。外気ダクト部（53）は、上部空間（S3）に配置されて内部に外気吸込室（19c）を区画する大径ダクト部（53a）と、大径ダクト部（53a）の下端から連続するように中間空間（S2）に配置され、大径ダクト部（53a）よりも小径に形成される小径ダクト部（53b）とを有している。
【００６０】
上部空間（S3）では、大径ダクト部（53a）の内部に外気吸込室（19c）が形成され、大径ダクト部（53a）の外方前側に内気吸込室（19d）が形成される。また、上部空間（S3）では、大径ダクト部（53a）の外方下側から前面パネル（14）に亘って上部内気流路（69）が区画される。上部内気流路（69）の上端は、内気吸込室（19d）と連通している。また、上部内気流路（69）には、内気ダンパ仕切板（48a）の第５ダンパ（D5）及び第７ダンパ（D7）が臨んでいる。小径ダクト部（53b）の内部には、外気流入路（61）に繋がるダクト内流路（71）が形成される（図３(Ｂ)を参照）。
【００６１】
第２上部区画部材（54）は、ケーシング（11）の右側面パネル（16）に沿ってケーシング（11）の前後両端に亘って形成される右側壁部（55）と、上部空間（S3）を左右に仕切る中央仕切部（56）と、右側壁部（55）及び中央仕切部（56）の各後端部に連続する後側壁部（57）とを有している。
【００６２】
右側壁部（55）の内側には、台座部（55a）形成されている。台座部（55a）は、縦断面がＬの字状に形成され、後側壁部（57）から前面パネル（14）側に亘って前後に延びている。台座部（55a）の上端面には、各ファンユニット（84,87）及び第３上部区画部材（80）が前後に案内自在に設置される、第１設置面（55c）が形成される。
【００６３】
右側壁部（55）の前後方向の中間部には、上下に延びる柱状の第１当接部（55b）が形成される。第１当接部（55b）には、その前端に第３上部区画部材（80）の後端部が当接する。また、第１当接部（55b）には、第３上部区画部材（80）に対する当接面にシール材（図示省略）が形成される。
【００６４】
中央仕切部（56）は、垂直な第１縦壁（56a）と、該第１縦壁（56a）の下端から水平に屈曲した横壁（56b）と、該横壁（56b）の右端から垂直に屈曲した第２縦壁（56c）とを有する。中央仕切部（56）の上端面には、各ファンユニット（84,87）及び第３上部区画部材（80）が前後に案内自在に設置される、第２設置面（56d）が形成される。
【００６５】
中央仕切部（56）は、前後に並ぶ外気吸込室（19c）及び内気吸込室（19d）と、前後に並ぶ室外排気室（19b）及び室内給気室（19a）とを、左右に仕切るように、ケーシング（11）の前後に延びる主仕切部を構成している。中央仕切部（56）は、ケーシング（11）に沿った右側壁部（55）及び後側壁部（57）と一体に成型されているため、他の部材と独立して中央仕切部（56）だけを取り外すことはできない。
【００６６】
中央仕切部（56）の前後方向の中間部には、上下に延びる柱状の第２当接部（56e）が形成される。第２当接部（56e）には、その前端に第３上部区画部材（80）の後端部が当接する。また、第２当接部（56e）には、第３上部区画部材（80）に対する当接面にシール材（図示省略）が形成される。
【００６７】
第２上部区画部材（54）では、右側壁部（55）と後側壁部（57）との間の隅部と、中央仕切部（56）と後側壁部（57）との間の隅部に、それぞれ挿通部（58）が形成される。各挿通部（58）には、それぞれ補強リブ（75）が挿通される。各補強リブ（75）の上端は、ケーシング（11）の天板（13）に固定される。これらの補強リブ（75）は、排気ファンユニット（87）が固定されて支持される取付部材を構成している。
【００６８】
第２上部区画部材（54）には、排気ファンユニット（87）の下側に横仕切部（59）が一体に形成される（図４(Ａ)及び図１７を参照）。上部空間（S3）では、この横仕切部（59）の上側に室外排気室（19b）が区画され、横仕切部（59）の下側から前面パネル（14）に亘って上部給気流路（70）が区画される。室外排気室（19b）は、図８に示す排気連絡流路（68）と連通している。上部給気流路（70）の上端は、室内給気室（19a）と連通している。また、上部給気流路（70）には、給気ダンパ仕切板（48b）の第６ダンパ（D6）及び第８ダンパ（D8）が臨んでいる。
【００６９】
図１７に示すように、横仕切部（59）の前縁上面には、左右に延びる柱状の第３当接部（59a）が形成される。第３当接部（59a）には、その前端に第３上部区画部材（80）の後端部が当接する。また、第３当接部（59a）には、第３上部区画部材（80）に対する当接面にシール材（図示省略）が形成される。
【００７０】
図１０に示すように、第３上部区画部材（80）は、第２上部区画部材（54）の右側壁部（55）に沿って形成される第１側板部（81）と、第２上部区画部材（54）の中央仕切部（56）に沿って形成される第２側板部（82）と、第１側板部（81）の後端部と第２側板部（82）の後端部に亘って形成される中間側板部（83）とを有している。つまり、第３上部区画部材（80）は、その横断面形状が、前側に開放部を有する略コの字状（Ｕの字状）に形成される。
【００７１】
第３上部区画部材（80）は、各側板部（81,82）の下端が第２上部区画部材（54）の各設置面（55c,56d）にそれぞれ設置され、且つ中間側板部（83）の左右両端部が第２上部区画部材（54）の各当接部（55b,56e,59a）に当接するように配置される。このように第３上部区画部材（80）を配置すると、右側壁部（55）と中央仕切部（56）との間の空間が、前後に２つの空間（即ち、室内給気室（19a）及び室外排気室（19b））に仕切られる。第３上部区画部材（80）は、室内給気室（19a）及び室外排気室（19b）を前後に仕切るようにケーシング（11）に着脱自在に取り付けられる給排気仕切部を構成している。
【００７２】
給気ファンユニット（84）は、給気ファン（85）と、この給気ファン（85）を支持するための給気側取付板（86）とによって構成される。給気ファン（85）は、遠心側の多翼ファン（いわゆるシロッコファン）である。給気側取付板（86）は、給気ファン（85）のモータが取り付けられる本体部（86a）と、本体部（86a）の左右側方に形成される側板部（86b）と、本体部（86a）の上側に形成される上板部（86c）とで構成される。給気側取付板（86）の各側板部（86b）は、第２上部区画部材（54）の各設置面（55c,56d）に設置される。また、給気側取付板（86）のうち右側の側板部（86b）と上板部（86c）とは、上述した前面パネル（14）（図１を参照）にビス等の締結部材を介して固定される。
【００７３】
排気ファンユニット（87）は、排気ファン（88）と、この排気ファン（88）を支持するための排気側取付板（89）とによって構成される。排気ファン（88）は、遠心側の多翼ファン（いわゆるシロッコファン）である。排気側取付板（89）は、排気ファン（88）のモータが取り付けられる本体部（89a）と、該本体部（89a）の左右側方に形成される側板部（89b）とで構成される。排気側取付板（89）の各側板部（89b）は、第２上部区画部材（54）の各設置面（55c,56d）に設置される。また、これらの側板部（89b）は、上述した補強リブ（75）を介して天板（13）に固定される。
【００７４】
〈冷媒回路の構成〉
調湿装置（10）は、上述した圧縮機（31）や吸着熱交換器（33）が接続される冷媒回路（30）を備えている。この冷媒回路（30）の構成について、図１１を参照しながら説明する。
【００７５】
冷媒回路（30）は、冷媒配管が接続された閉回路であり、内部に冷媒が充填される。冷媒回路（30）では、冷媒が循環して蒸気圧縮式の冷凍サイクルが行われる。冷媒回路（30）には、圧縮機（31）と、四方切換弁（32）と、第１吸着熱交換器（33a）と、第２吸着熱交換器（33b）とが接続されている。
【００７６】
圧縮機（31）は、いわゆるインバータ制御によって容量（運転周波数）が可変に構成されている。つまり、圧縮機（31）のモータは、供給される交流電力の出力周波数（運転周波数）に応じて回転数が調節可能に構成される。
【００７７】
四方切換弁（32）は、第１から第４までのポートを有し、これらのポートの連通状態を切換可能に構成される。四方切換弁（32）の第１ポートは、圧縮機（31）の吐出管（31a）に接続し、四方切換弁（32）の第３ポートは、圧縮機（31）の吸入管（31b）に接続している。四方切換弁（32）の第２ポートは、第１吸着熱交換器（33a）のガス側端部に接続し、四方切換弁（32）の第４ポートは、第２吸着熱交換器（33b）のガス側端部に接続している。四方切換弁（32）は、第１ポートと第４ポートとを連通させて第２ポートと第３ポートとを連通させる状態（図１１の実線で示す第１状態）と、第１ポートと第２ポートとを連通させて第３ポートと第４ポートとを連通させる状態（図１１の破線で示す第２状態）とに切換可能に構成される。即ち、四方切換弁（32）は、第２吸着熱交換器（33b）で冷媒が放熱して第１吸着熱交換器（33a）で冷媒が蒸発する流路と、第１吸着熱交換器（33a）で冷媒が放熱して第２吸着熱交換器（33b）で冷媒が蒸発する流路とに、冷媒回路（30）の流路を切り換える冷媒流路切換機構を構成する。
【００７８】
冷媒回路（30）には、四方切換弁（32）の状態が切り換わっても、冷媒の流れを一方向のままとする一方向回路（36）が設けられる。この一方向回路（36）には、４つの逆止弁（CV-1,CV-2,CV-3,CV-4）がブリッジ状に接続されたブリッジ回路（36a）と、ブリッジ回路（36a）の流入端と流出端との間に並列に接続された、主回路（36b）及びレヒート回路（36c）が設けられる。
【００７９】
ブリッジ回路（36a）の各逆止弁（CV-1,CV-2,CV-3,CV-4）は、図１１の矢印の方向の冷媒の流れを許容し、これとは逆方向の冷媒の流れを禁止する。ブリッジ回路（36a）では、第１逆止弁（C1-1）と第２逆止弁（CV-2）との間に第１吸着熱交換器（33a）の液側端部が接続し、第３逆止弁（CV-3）と第４逆止弁（CV-4）との間に第２吸着熱交換器（33b）の液側端部が接続している。第１逆止弁（CV-1）及び第３逆止弁（CV-3）の合流部と、第２逆止弁（CV-2）及び第４逆止弁（CV-4）の分流部との間には、主回路（36b）とレヒート回路（36c）とが並列に接続されている。主回路（36b）には、主膨張弁（37）が接続されている。レヒート回路（36c）には、上流側にレヒート熱交換器（35）が、下流側にレヒート側膨張弁（38）が接続される。主膨張弁（37）及びレヒート側膨張弁（38）は、開度が可変な電動式の流量調節弁であり、例えば電子膨張弁で構成される。
【００８０】
〈制御部及びセンサ〉
図１１に示すように、調湿装置（10）は、コントローラ（100）と、各種のセンサを備えている。コントローラ（100）は、運転条件や各センサの検出値に応じて、圧縮機（31）の運転容量や各膨張弁（37,38）の開度を調節する。また、コントローラ（100）は、運転条件に応じて、各ダンパ（D1〜D8）の開閉状態や、各ファン（85,88）の運転風量を調節する。
【００８１】
図３(Ｂ)に模式的に示すように、本実施形態の調湿装置（10）は、内気湿度センサ（111）と、外気湿度センサ（113）と、第１外気温度センサ（114）と、第２外気温度センサ（115）とを備えている。
【００８２】
内気湿度センサ（111）は、上部内気流路（69）に配置されている。内気湿度センサ（111）は、内気吸込室（19d）に取り込まれた室内空気（RA）の湿度（相対湿度）を検出する。
【００８３】
外気湿度センサ（113）及び第１外気温度センサ（114）は、下部外気流路（63a）において、フィルタ（26,27）とレヒート熱交換器（35）の間に配置される。外気湿度センサ（113）は、レヒート熱交換器（35）の上流側の室外空気（OA）の湿度（相対湿度）を検出し、第１外気温度センサ（114）は、レヒート熱交換器（35）の上流側の室外空気（OA）の温度を検出する。第２外気温度センサ（115）は、下部外気流路（63a）において、レヒート熱交換器（35）の下流側に配置される。第２外気温度センサ（115）は、レヒート熱交換器（35）の下流側の室外空気（OA）の温度を検出する。
【００８４】
本実施形態のコントローラ（100）では、これらのセンサ（111,113,114,115）の検出値に基づいて、調湿装置（10）の必要な調湿能力（除湿運転時の除湿負荷や加湿運転時の加湿負荷）が求められる。コントローラ（100）は、この調湿能力を満たすように圧縮機（31）の運転容量（即ち、冷媒回路（30）の冷媒循環量）を制御する。
【００８５】
−運転動作−
次いで、調湿装置（10）の運転動作について図面を参照しながら順に説明する。この調湿装置（10）は、室内を除湿する除湿運転と、室内を加湿する加湿運転とが切り換えて実行される。
【００８６】
〈除湿運転〉
除湿運転は、夏季等において室外の温度と湿度とが比較的高い条件下で実行される。この除湿運転では、室外空気（OA）が除湿され、除湿された空気が室内へ供給空気（SA）として供給される。同時に、除湿運転では、室内空気（RA）が排出空気（EA）として室外へ排出される。この除湿運転では、第１動作と第２動作とが所定の間隔置きに交互に実行され、室内が連続的に除湿される。
【００８７】
除湿運転の第１動作において、図１１に示す冷媒回路（30）では、四方切換弁（32）が第１状態に設定され、レヒート側膨張弁（38）がほぼ全閉に近い状態に、主膨張弁（37）が所定の開度で開放される。圧縮機（31）が運転されると、圧縮機（31）で圧縮された冷媒が第２吸着熱交換器（33b）で放熱し、ブリッジ回路（36a）を通過して、主回路（36b）を流れる。主回路（36b）では、冷媒が主膨張弁（37）によって減圧される。主膨張弁（37）で減圧された冷媒は、ブリッジ回路（36a）を通過し、第１吸着熱交換器（33a）で蒸発し、圧縮機（31）に吸入される。
【００８８】
除湿運転の第２動作において、図１１に示す冷媒回路（30）では、四方切換弁（32）が第２状態に設定され、レヒート側膨張弁（38）がほぼ全閉に近い状態となり、主膨張弁（37）が所定の開度で開放される。圧縮機（31）が運転されると、圧縮機（31）で圧縮された冷媒が第１吸着熱交換器（33a）で放熱し、ブリッジ回路（36a）を通過して、主回路（36b）を流れる。主回路（36b）では、冷媒が主膨張弁（37）によって減圧される。主膨張弁（37）で減圧された冷媒は、ブリッジ回路（36a）を通過し、第２吸着熱交換器（33b）で蒸発し、圧縮機（31）に吸入される。
【００８９】
以上のように、調湿装置（10）の除湿運転では、原則として、レヒート回路（36c）に冷媒が供給されない。つまり、除湿運転では、レヒート熱交換器（35）が停止状態となる。
【００９０】
除湿運転の第１動作では、図１２及び図１３に示すように、第１ダンパ（D1）、第４ダンパ（D4）、第６ダンパ（D6）、及び第７ダンパ（D7）が開放状態となり、第２ダンパ（D2）、第３ダンパ（D3）、第５ダンパ（D5）、及び第８ダンパ（D8）が閉鎖状態となり、給気ファン（85）及び排気ファン（88）が運転される。なお、図１２〜図１５においては、ハッチングを付したダンパが閉状態を、白抜きのダンパが開状態を表している。また、図１２〜図１５において、白抜きの矢印は、室外から室内へ供給される空気（室外空気（OA）ないし供給空気（SA）を表し、黒抜きの矢印は、室内から室外へ排出される空気（室内空気（RA）ないし排出空気（EA））を表している。
【００９１】
除湿運転の第１動作において、ダクトを経由して外気吸込室（19c）に取り込まれた室外空気（OA）は、ダクト内流路（71）、外気流入路（61）を順に流れて、下部外気流路（63a）へ流入する。この空気は、虫取りフィルタ（26）及びプリーツフィルタ（27）を順に流れて清浄化された後、レヒート熱交換器（35）を通過する。除湿運転では、上述のようにレヒート熱交換器（35）が停止状態である。このため、レヒート熱交換器（35）では、空気が加熱されることがない。
【００９２】
レヒート熱交換器（35）を通過した空気は、上部外気流路（63b）、中間外気流路（64）、第１ダンパ（D1）を順に流れ、第１吸着熱交換器（33a）を通過する。蒸発器の状態の第１吸着熱交換器（33a）では、空気中の水蒸気が吸着剤に吸着される。この際に生じた吸着熱は、冷媒の蒸発熱に利用される。第１吸着熱交換器（33a）で吸着されて除湿された空気は、第７ダンパ（D7）、上部給気流路（70）、室内給気室（19a）を順に流れ、ダクトを経由して室内空間へ供給空気（SA）として供給される。
【００９３】
除湿運転の第１動作において、室内側のダクトを経由して内気吸込室（19d）に取り込まれた室内空気（RA）は、上部内気流路（69）、第６ダンパ（D6）を順に流れ、第２吸着熱交換器（33b）を通過する。放熱器の状態の第２吸着熱交換器（33b）では、吸着剤から空気中へ水蒸気が脱離し、吸着剤が再生される。第２吸着熱交換器（33b）の吸着剤の再生に利用された空気は、第４ダンパ（D4）、中間排気流路（65）、排気連絡流路（68）、室外排気室（19b）を順に流れ、ダクトを経由して室外空間へ排出空気（EA）として排出される。
【００９４】
除湿運転の第２動作では、図１４及び図１５に示すように、第２ダンパ（D2）、第３ダンパ（D3）、第５ダンパ（D5）、及び第８ダンパ（D8）が開放状態となり、第１ダンパ（D1）、第４ダンパ（D4）、第６ダンパ（D6）、及び第７ダンパ（D7）が閉鎖状態となり、給気ファン（85）及び排気ファン（88）が運転される。
【００９５】
除湿運転の第２動作において、ダクトを経由して外気吸込室（19c）に取り込まれた室外空気（OA）は、ダクト内流路（71）、外気流入路（61）を順に流れて、下部外気流路（63a）へ流入する。この空気は、虫取りフィルタ（26）及びプリーツフィルタ（27）を順に流れて清浄化された後、レヒート熱交換器（35）を通過する。除湿運転では、上述のようにレヒート熱交換器（35）が停止状態である。このため、レヒート熱交換器（35）では、空気が加熱されることがない。
【００９６】
レヒート熱交換器（35）を通過した空気は、上部外気流路（63b）、中間外気流路（64）、第２ダンパ（D2）を順に流れ、第２吸着熱交換器（33b）を通過する。蒸発器の状態の第２吸着熱交換器（33b）では、空気中の水蒸気が吸着剤に吸着される。この際に生じた吸着熱は、冷媒の蒸発熱に利用される。第２吸着熱交換器（33b）で吸着されて除湿された空気は、第８ダンパ（D8）、上部給気流路（70）、室内給気室（19a）を順に流れ、ダクトを経由して室内空間へ供給空気（SA）として供給される。
【００９７】
除湿運転の第２動作において、室内側のダクトを経由して内気吸込室（19d）に取り込まれた室内空気（RA）は、上部内気流路（69）、第５ダンパ（D5）を順に流れ、第１吸着熱交換器（33a）を通過する。放熱器の状態の第１吸着熱交換器（33a）では、吸着剤から空気中へ水蒸気が脱離し、吸着剤が再生される。第１吸着熱交換器（33a）の吸着剤の再生に利用された空気は、第３ダンパ（D3）を通過し、中間排気流路（65）、排気連絡流路（68）、室外排気室（19b）を順に流れ、ダクトを経由して室外空間へ排出空気（EA）として排出される。
【００９８】
〈加湿運転〉
加湿運転は、冬季等において室外の温度と湿度とが比較的低い条件下で実行される。この加湿運転では、室外空気（OA）が加湿され、加湿された空気が室内へ供給空気（SA）として供給される。同時に、加湿運転では、室内空気（RA）が排出空気（EA）として室外へ排出される。この加湿運転では、第１動作と第２動作とが所定の間隔置きに交互に実行され、室内が連続的に加湿される。
【００９９】
加湿運転の第１動作において、図１１に示す冷媒回路（30）では、四方切換弁（32）が第２状態に設定され、主膨張弁（37）が閉状態となり、レヒート側膨張弁（38）が所定の開度で開放される。圧縮機（31）が運転されると、圧縮機（31）で圧縮された冷媒が第１吸着熱交換器（33a）で放熱し、ブリッジ回路（36a）を通過して、レヒート回路（36c）を流れる。レヒート回路（36c）では、気液二相状態の高圧冷媒が、レヒート熱交換器（35）を流れ、この冷媒が空気（室外空気（OA））へ放熱する。レヒート熱交換器（35）で放熱した冷媒は、レヒート側膨張弁（38）によって減圧される。レヒート側膨張弁（38）で減圧された冷媒は、ブリッジ回路（36a）を通過し、第２吸着熱交換器（33b）で蒸発し、圧縮機（31）に吸入される。
【０１００】
加湿運転の第２動作において、図１１に示す冷媒回路（30）では、四方切換弁（32）が第１状態に設定され、主膨張弁（37）が閉状態となり、レヒート側膨張弁（38）が所定の開度で開放される。圧縮機（31）が運転されると、圧縮機（31）で圧縮された冷媒が第２吸着熱交換器（33b）で放熱し、ブリッジ回路（36a）を通過して、レヒート回路（36c）を流れる。レヒート回路（36c）では、気液二相状態の高圧冷媒が、レヒート熱交換器（35）を流れ、この冷媒が空気（室外空気（OA））へ放熱する。レヒート熱交換器（35）で放熱した冷媒は、レヒート側膨張弁（38）によって減圧される。レヒート側膨張弁（38）で減圧された冷媒は、ブリッジ回路（36a）を通過し、第１吸着熱交換器（33a）で蒸発し、圧縮機（31）に吸入される。
【０１０１】
以上のように、調湿装置（10）の加湿運転では、レヒート回路（36c）に冷媒が供給され、レヒート熱交換器（35）が運転される。このレヒート熱交換器（35）の加熱能力は、レヒート側膨張弁（38）の開度に応じて適宜調節される。また、この加湿運転において、室外空気（OA）の温度が所定温度よりも高くなると、レヒート側膨張弁（38）が全閉に近い状態となり、主膨張弁（37）が所定の開度で開放される。これにより、レヒート熱交換器（35）を停止しつつ、各吸着熱交換器（33a,33b）で空気を加湿できる。
【０１０２】
加湿運転の第１動作では、図１２及び図１３に示すように、第１ダンパ（D1）、第４ダンパ（D4）、第６ダンパ（D6）、及び第７ダンパ（D7）が開放状態となり、第２ダンパ（D2）、第３ダンパ（D3）、第５ダンパ（D5）、及び第８ダンパ（D8）が閉鎖状態となり、給気ファン（85）及び排気ファン（88）が運転される。
【０１０３】
加湿運転の第１動作において、ダクトを経由して外気吸込室（19c）に取り込まれた室外空気（OA）は、ダクト内流路（71）、外気流入路（61）を順に流れて、下部外気流路（63a）へ流入する。この空気は、虫取りフィルタ（26）及びプリーツフィルタ（27）を順に流れて清浄化された後、レヒート熱交換器（35）を通過する。加湿運転では、このレヒート熱交換器（35）に冷媒が適宜供給され、室外空気（OA）がレヒート熱交換器（35）によって加熱される。
【０１０４】
レヒート熱交換器（35）で加熱された空気は、上部外気流路（63b）、中間外気流路（64）、第１ダンパ（D1）を順に流れ、第１吸着熱交換器（33a）を通過する。放熱器の状態の第１吸着熱交換器（33a）では、吸着剤から空気中へ水蒸気が脱離し、この空気が加湿される。第１吸着熱交換器（33a）で加湿された空気は、第７ダンパ（D7）、上部給気流路（70）、室内給気室（19a）を順に流れ、ダクトを経由して室内空間へ供給空気（SA）として供給される。
【０１０５】
加湿運転の第１動作において、室内側のダクトを経由して内気吸込室（19d）に取り込まれた室内空気（RA）は、上部内気流路（69）、第６ダンパ（D6）を順に流れ、第２吸着熱交換器（33b）を通過する。蒸発器の状態の第２吸着熱交換器（33b）では、空気中の水蒸気が吸着剤に吸着され、この吸着剤に水分が付与される。第２吸着熱交換器（33b）の吸着剤に水分を付与した空気は、第４ダンパ（D4）、中間排気流路（65）、排気連絡流路（68）、室外排気室（19b）を順に流れ、ダクトを経由して室外空間へ排出空気（EA）として排出される。
【０１０６】
加湿運転の第２動作では、図１４及び図１５に示すように、第２ダンパ（D2）、第３ダンパ（D3）、第５ダンパ（D5）、及び第８ダンパ（D8）が開放状態となり、第１ダンパ（D1）、第４ダンパ（D4）、第６ダンパ（D6）、及び第７ダンパ（D7）が閉鎖状態となり、給気ファン（85）及び排気ファン（88）が運転される。
【０１０７】
加湿運転の第２動作において、ダクトを経由して外気吸込室（19c）に取り込まれた室外空気（OA）は、ダクト内流路（71）、外気流入路（61）を順に流れて、下部外気流路（63a）へ流入する。この空気は、虫取りフィルタ（26）及びプリーツフィルタ（27）を順に流れて清浄化された後、レヒート熱交換器（35）を通過する。加湿運転では、このレヒート熱交換器（35）に冷媒が適宜供給され、室外空気（OA）がレヒート熱交換器（35）によって加熱される。
【０１０８】
レヒート熱交換器（35）で加熱された空気は、上部外気流路（63b）、中間外気流路（64）、第２ダンパ（D2）を順に流れ、第２吸着熱交換器（33b）を通過する。放熱器の状態の第２吸着熱交換器（33b）では、吸着剤から空気中へ水蒸気が脱離し、この空気が加湿される。第２吸着熱交換器（33b）で加湿された空気は、第８ダンパ（D8）、上部給気流路（70）、室内給気室（19a）を順に流れ、ダクトを経由して室内空間へ供給空気（SA）として供給される。
【０１０９】
加湿運転の第２動作において、室内側のダクトを経由して内気吸込室（19d）に取り込まれた室内空気（RA）は、上部内気流路（69）、第５ダンパ（D5）を順に流れ、第１吸着熱交換器（33a）を通過する。蒸発器の状態の第１吸着熱交換器（33a）では、空気中の水蒸気が吸着剤に吸着され、この吸着剤に水分が付与される。第１吸着熱交換器（33a）の吸着剤に水分を付与した空気は、第３ダンパ（D3）、中間排気流路（65）、排気連絡流路（68）、室外排気室（19b）を順に流れ、ダクトを経由して室外空間へ排出空気（EA）として排出される。
【０１１０】
〈ファンのメンテナンスについて〉
本実施形態の調湿装置（10）では、次のようにして給気ファン（85）及び排気ファン（88）のメンテナンス（修理や交換等）が行われる。
【０１１１】
まず、前面パネル（14）の上部パネル（14b）を取り外すために、上部パネル（14b）の外縁部の締結を解除する。これらのビスの締結を解除すると、上部パネル（14b）と給気ファンユニット（84）の締結も解除される。このため、図１６に示すように、上部パネル（14b）を取り外した状態では、前面側に露出された給気ファンユニット（84）が、前方にスライド可能な状態となる。給気ファン（85）は、側板部（86b）を設置面（55c,56d）に沿ってすべらすことで、給気側取付板（86）と共に前方へ引き出される。
【０１１２】
更に、排気ファン（88）のメンテナンスを行う場合には、給気ファン（85）を取り出した状態で、前側に露出された第３上部区画部材（80）を前方へ引き出す。第３上部区画部材（80）は、第１側板部（81）及び第２側板部（82）の下端を設置面（55c,56d）に沿ってすべらすことで、前方へ引き出される（図１７を参照）。
【０１１３】
次いで、排気ファンユニット（87）の側板部（89b）と補強リブ（75）との締結を解除する。排気ファン（88）は、側板部（89b）を設置面（55c,56d）に沿ってすべらすこと、排気側取付板（89）と共に前方へ引き出される（図１８を参照）。
【０１１４】
メンテナンスが終了した後には、上記の取り出し作業と逆の手順により、排気ファンユニット（87）、第３上部区画部材（80）、及び給気ファンユニット（84）がケーシング（11）の内部に順次収装される。
【０１１５】
〈上部室での空気の漏洩について〉
本実施形態の調湿装置（10）では、前後に隣り合う外気吸込室（19c）及び内気吸込室（19d）と、前後に隣り合う室内給気室（19a）及び室外排気室（19b）とが、第２上部区画部材（54）の中央仕切部（56）によって左右に仕切られている。この中央仕切部（56）は、右側壁部（55）や後側壁部（57）と一体に成型されており、この中央仕切部（56）だけを外部へ取り外してメンテナンスを行う構造となっていない。
【０１１６】
中央仕切部（56）を他の部材から取り外せる構造とすると、中央仕切部（56）の左側に区画された空間（即ち、外気吸込室（19c）と内気吸込室（19d））と、中央仕切部（56）の右側に区画された空間（即ち、室内給気室（19a）と室外排気室（19b））との間で空気が漏れてしまう虞がある。
【０１１７】
より具体的に、外気吸込室（19c）や内気吸込室（19d）の内圧は、室内給気室（19a）や室外排気室（19b）の内圧よりも小さくなってしまう。給気ファン（85）及び排気ファン（88）を運転した状態では、室内給気室（19a）や室外排気室（19b）の圧力が、これらの上流側の空気流路の圧力損失の影響により、外気吸込室（19c）や内気吸込室（19d）と比べて低下してしまうからである。このため、中央仕切部（56）を取り外せる構造とすると、外気吸込室（19c）に取り込まれた室外空気（OA）が室外排気室（19b）に漏れ込んだり、内気吸込室（19d）に取り込まれた室内空気（RA）が室内給気室（19a）に漏れ込んだりして、この調湿装置（10）の調湿能力の低下や、換気能力の低下を招く虞がある。
【０１１８】
また、中央仕切部（56）には、上述のような内圧の差により、左側の空間（外気吸込室（19c）と内気吸込室（19d））から右側の空間（室内給気室（19a）と室外排気室（19b））へ向かう方向に外力が作用する。このため、中央仕切部（56）の周囲にシール材を設けて上記の空気の漏洩を防止しようとしても、このシール材に応力が集中してシール材が早期に劣化してしまう虞もある。
【０１１９】
これに対し、本実施形態の調湿装置（10）では、図１７等に示すように、中央仕切部（56）を外してメンテナンスを行う構造となっていない。このため、左側の空間（外気吸込室（19c）と内気吸込室（19d））と右側の空間（室内給気室（19a）と室外排気室（19b））との差圧に起因して空気が漏洩するのを防止でき、しかも中央仕切部（56）の周囲のシール構造も簡素化できる。
【０１２０】
一方、本実施形態の調湿装置（10）では、室内給気室（19a）と室外排気室（19b）とを区画する第３上部区画部材（80）を取り外して、給気ファン（85）や排気ファン（88）のメンテナンスを行える構造となっている。室内給気室（19a）と室外排気室（19b）とは、各空気流路の下流側に配置され、しかも給気ファン（85）と排気ファン（88）の風量は基本的には同じ風量に制御されるため、両室（19a,19b）の内圧の差はさほど大きくない。このため、第３上部区画部材（80）の周囲のシール構造を複雑化せずとも、両室（19a,19b）の間で空気の漏洩を十分に防止できる。
【０１２１】
〈ダンパのメンテナンスについて〉
本実施形態の調湿装置（10）では、次のようにして各ダンパ（45a,45b,48a,48b）のメンテナンス（修理や交換等）が行われる。
【０１２２】
外気ダンパ仕切板（45a）や排気ダンパ仕切板（45b）をメンテナンスする際には、中間パネル（14c）を取り外す。図１９に示すように、この状態で、外気ダンパ仕切板（45a）を前側に引き出すと、外気ダンパ仕切板（45a）の上下の端部が凹溝（43c,44a）にそれぞれ案内され、第１ダンパ（D1）と第２ダンパ（D2）とが同時に手前側に移動する。同様に、排気ダンパ仕切板（45b）を前側に引き出すと、排気ダンパ仕切板（45b）の上下の端部が凹溝（43c,44a）にそれぞれ案内され、第３ダンパ（D3）と第４ダンパ（D4）とが同時に手前側に移動する。
【０１２３】
下部区画部材（41）と第１中間区画部材（43）との間には、スペーサ部材（24）が介設されている。また、外気ダンパ仕切板（45a）や排気ダンパ仕切板（45b）の上側では、吸着熱交換器（33）の荷重をフレーム（21,22,23）によって受けるようにしている。このため、下部区画部材（41）と第１中間区画部材（43）との間の上下方向のクリアランスを十分に確保できる。従って、外気ダンパ仕切板（45a）や排気ダンパ仕切板（45b）を円滑に前後に進退させることができる。
【０１２４】
内気ダンパ仕切板（48a）や給気ダンパ仕切板（48b）をメンテナンスする際には、上部パネル（14b）を取り外す。図２０に示すように、この状態で、内気ダンパ仕切板（48a）を前側に引き出すと、内気ダンパ仕切板（48a）が幅広溝（47a）に案内され、第５ダンパ（D5）と第６ダンパ（D6）とが同時に手前側に移動する。同様に、給気ダンパ仕切板（48b）を前側に引き出すと、給気ダンパ仕切板（48b）が幅広溝（47a）に案内され、第７ダンパ（D7）と第８ダンパ（D8）とが同時に手前側に移動する。
【０１２５】
内気ダンパ仕切板（48a）や給気ダンパ仕切板（48b）は、幅広溝（47a）の内部に横置きに設置されているため、これらのダンパ仕切板（48a,48b）を前後に進退させる際の摺動抵抗を軽減できる。従って、内気ダンパ仕切板（48a）や給気ダンパ仕切板（48b）を円滑に進退させることができる。
【０１２６】
−実施形態の効果−
実施形態によれば、前面パネル（14）を取り外した後、第３上部区画部材（80）を取り出すことで、給気ファン（85）や排気ファン（88）をメンテナンスできる。即ち、従来例の調湿装置では、ケーシングから２つの仕切部を取り外してメンテナンスを行うようにしていたが、本発明では、１つの第３上部区画部材（80）を取り出すだけで済む。従って、各ファン（85,88）に係るメンテナンスの工数や時間を削減できる。
【０１２７】
第３上部区画部材（80）の中間側板部（83）を挟んだ空間（即ち、室内給気室（19a）と室外排気室（19b））との差圧はほとんどない。このため、第３上部区画部材（80）の周囲の隙間での空気の漏れも小さくなるので、第３上部区画部材（80）の周囲のシール構造を省略する、あるいは簡素化できる。また、室内給気室（19a）と室外排気室（19b）との差圧が小さいと、第３上部区画部材（80）が、圧力の低い方の部屋に引き寄せられることもほとんどない。よって、第３上部区画部材（80）と各当接部（55b,56e,59a）との間のシール材の劣化を抑制でき、シール構造の簡素化や、シール材のメンテナンス頻度の低減を図ることができる。
【０１２８】
また、調湿装置（10）では、ケーシング（11）の後方寄りに、外気吸込室（19c）と室外排気室（19b）とを集約させている。このため、室外に連通する室外側のダクトを外気吸込室（19c）や室外排気室（19b）に容易に接続でき、ダクトの配設に要するスペースを縮小できる。
【０１２９】
また、調湿装置（10）では、中央仕切部（56）の下側に各ダンパ仕切板（45a,45b,48a,48b）を配置し、このダンパ仕切板（45a,45b,48a,48b）を中央仕切部（56）に沿った前後方向に延ばして形成している。このため、前面パネル（14）を取り外した状態で、各ダンパ仕切板（45a,45b,48a,48b）が、中央仕切部（56）に干渉することなく、各ダンパ仕切板（45a,45b,48a,48b）を手前側に引き出すことができる。従って、各ダンパ（D1〜D8）のメンテナンスを容易に行うことができる。
【０１３０】
《その他の実施形態》
上記実施形態の上部空間（S3）では、前側の室内給気室（19a）と後側の室外排気室（19b）とを第３上部区画部材（80）の中間側板部（83）によって仕切るようにしている。しかしながら、中間側板部（83）の前側に室外排気室（19b）を区画し、中間側板部（83）の後側に室内給気室（19a）を区画するようにしてもよい。この場合には、前面パネル（14）、排気ファン（88）、第３上部区画部材（80）、給気ファン（85）の順で、これらを前側に引き出して、各ファン（88,85）のメンテナンスを行うことができる。
【０１３１】
また、上部空間（S3）において、前側に外気吸込室（19c）を区画し、後側に内気吸込室（19d）を区画してもよい。
【産業上の利用可能性】
【０１３２】
以上説明したように、本発明は、吸着熱交換器によって空気を調湿する調湿装置について有用である。
【符号の説明】
【０１３３】
11       ケーシング
19a      室内給気室
19b      室外排気室
19c      外気吸込室
19d      内気吸込室
33       吸着熱交換器
45       下側ダンパ仕切板（ダンパ仕切板）
48       上側ダンパ仕切板（ダンパ仕切板）
56       中央仕切部（主仕切部）
66       調湿室
80       第３上部区画部材（給排気仕切部）
85       給気ファン
88       排気ファン
D1〜D8   ダンパ
【図１】
0005724914.tif 000002
【図２】
0005724914.tif 000003
【図３】
0005724914.tif 000004
【図４】
0005724914.tif 000005
【図５】
0005724914.tif 000006
【図６】
0005724914.tif 000007
【図７】
0005724914.tif 000008
【図８】
0005724914.tif 000009
【図９】
0005724914.tif 000010
【図１０】
0005724914.tif 000011
【図１１】
0005724914.tif 000012
【図１２】
0005724914.tif 000013
【図１３】
0005724914.tif 000014
【図１４】
0005724914.tif 000015
【図１５】
0005724914.tif 000016
【図１６】
0005724914.tif 000017
【図１７】
0005724914.tif 000018
【図１８】
0005724914.tif 000019
【図１９】
0005724914.tif 000020
【図２０】
0005724914.tif 000021